(57)【要約】【課題】ロアカバーを回路体に挿入した際に、電線が係止部に引っかかることを防止でき、それによって、電線の損傷や断線を防止することができる電気接続箱を提供する。【解決手段】箱本体１５に、接続ブロックに対する係止部３０を設け、係止部３０の両側に電線阻止用の一対のリブ２８，２８を設ける。係止部３０を、箱本体１５の側壁１８内面に設けられた可撓性の差込係止片３０とし、係止部３０に対する接続ブロックの係合部を、接続ブロックの側面に設けられた係止枠とする。リブ２８の先端側に、接続ブロックの挿入方向に漸次傾斜するテーパ面を形成する。リブ２８を、係止部３０より箱本体１５の内側に突出させる。リブ２８を、係止部３０と同程度ないしそれ以上の長さに形成する。【選択図】　　　図３
2004072941.tif 000002
【特許請求の範囲】
【請求項１】
箱本体と、該箱本体に着脱自在に固定された接続ブロックとを備えた電気接続箱において、
前記箱本体には、前記接続ブロックに対する係止部が設けられ、該係止部の両側に電線阻止用の一対のリブが設けられたことを特徴とする電気接続箱。
【請求項２】
前記係止部は、前記箱本体の側壁内面に設けられた可撓性の差込係止片であり、該係止部に対する前記接続ブロックの係合部は、該接続ブロックの側面に設けられ係止枠であることを特徴とする請求項１記載の電気接続箱。
【請求項３】
前記リブの先端側には、前記接続ブロックの挿入方向に漸次傾斜するテーパ面が形成されていることを特徴とする請求項１又は２記載の電気接続箱。
【請求項４】
前記リブが、前記係止部より前記箱本体の内側に突出していることを特徴とする請求項１〜３の何れか１項に記載の電気接続箱。
【請求項５】
前記リブの先端側が、前記係止部の先端側より前記箱本体の開口側に突出していることを特徴とする請求項１〜４の何れか１項に記載の電気接続箱。
【発明の詳細な説明】
【０００１】
【発明の属する技術分野】
本発明は、箱本体としてのロアカバーに、接続ブロックとしてのリレーブロック等が着脱自在に装着された電気接続箱に関するものである。
【０００２】
【従来の技術】
電気接続箱は、自動車のエンジンルームやインストルメントパネル廻り等に配置され、計器類、スイッチ類、ランプ類その他の電装品に対する電源電流の供給を行う中継用の組付自動車部品である。また、電気接続箱は、単に配線を分岐するだけでなく、リレー回路やヒューズ回路を構成したり、各種装置の制御を行うＥＣＵ（Ｅｌｅｃｔｒｏｎｉｃ　Ｃｏｎｔｒｏｌ　Ｕｎｉｔ）回路を構成したりもする。
【０００３】
自動車のエンジンルームに取り付けられる電気接続箱は、雨天走行時に水がかかったり、洗車時に高圧の洗浄水やスチームがかかったりすることがある。そのため、箱本体としてのロアカバーには、蓋体としてのアッパーカバーが被せられている。
【０００４】
このような電気接続箱は、ロアカバーと、ロアカバーの開口を塞ぐアッパーカバーと、リレーブロック等の接続ブロックとからなっている。接続ブロックは、リレーブロックと呼ばれたり、ヒューズブロックやジャンクションブロック等と呼ばれたりすることがある。また、電気接続箱は、リレーボックス、ヒューズボックス、ジャンクションボックスと呼ばれたりすることもある。
【０００５】
接続ブロックは、ロアカバーに係止手段で固定され、車両走行中の振動などによって、がたついて異音を発生したり、外れたりしないように着脱自在に固定されている。
【０００６】
図９は、この種の電気接続箱に関連する技術の一例として、特開平１０−１６４７２７号公報に開示されたものである。図示するように、電気接続箱７０のロアカバー７１内には、リレーブロック７５が着脱自在に固定されるようになっている。
【０００７】
ロアカバー７１の内面７２には、底壁７７と平行にリブ７３が周設されている。このリブ７３には、リレーブロック７５が載置されるようになっている。リレーブロック７５をロアカバー７１に固定した状態において、リレーブロック７５とロアカバー７１との間に形成される空間は、リレーブロック７５に接続された電線の収容空間となる。
【０００８】
また、ロアカバー７１の内面７２の開口寄りの位置には、複数の係止爪７４が突設されている。リレーブロック７５の側面７８には、係止爪７４と係合する位置に複数の係合爪７６が突設されている。この係止爪７４と係合爪７６とで係止手段が構成され、ロアカバー７１にリレーブロック７５を挿入すると、係合爪７６が係止爪７４を乗り越え、リレーブロック７５がロアカバー７１に固定されるようになっている。係止爪７４と係合爪７６は、それぞれ千鳥状に複数設けられている。
【０００９】
【発明が解決しようとする課題】
しかしながら、上記従来の電気接続箱では、解決すべき以下の問題点がある。
【００１０】
ロアカバー７１の内面７２には係止爪７４が突設されているため、ロアカバー７１にリレーブロック７５を挿入した際に、リレーブロック７５に接続された電線で外側にはみ出した電線が、係止爪７４に引っかかるという問題がある。
【００１１】
電線が係止爪７４に引っかかったままの状態で、リレーブロック７５が押し込まれると、電線に張力が働いて断線が生じたり、電線が係止爪７４と係合爪７６との間に挟まって、損傷したりする心配もある。
【００１２】
また、ロアカバー７１の内面７２には、係止爪７４の下方に位置し、かつ係止爪７４より突出代の大きいリブ７３が周設されているため、係止爪７４に引っかからず下方に落下した電線であっても、リブ７３に引っかかってしまい、上述した問題と同様の問題を生じる心配がある。
【００１３】
本発明は、上記した点に鑑み、ロアカバーを接続ブロックに挿入した際に、電線が係止部に引っかかることを防止でき、それによって、電線の損傷や断線を防止することができる電気接続箱を提供することを目的とする。
【００１４】
【課題を解決するための手段】
上記目的を達成するために、請求項１記載の発明は、箱本体と、該箱本体に着脱自在に固定された接続ブロックとを備えた電気接続箱において、前記箱本体には、前記接続ブロックに対する係止部が設けられ、該係止部の両側に電線阻止用の一対のリブが設けられたことを特徴とする。
【００１５】
上記構成によれば、箱本体には、リレー等の電気部品が取り付けられた接続ブロックが着脱自在に固定されるから、雨天走行時や洗車時に接続ブロックに水等がかかったりすることが防止される。接続ブロックを箱本体に挿入した際には、接続ブロックに接続された電線で外側にはみ出した電線が、リブに乗り上げ、リブ上を滑りながら下方に落下するため、係止部に引っかかることが防止される。
【００１６】
また、請求項２記載の発明は、請求項１記載の電気接続箱において、前記係止部は、前記箱本体の側壁内面に設けられた可撓性の差込係止片であり、該係止部に対する前記接続ブロックの係合部は、該接続ブロックの側面に設けられ係止枠であることを特徴とする。
【００１７】
上記構成によれば、接続ブロックを箱本体に挿入した際、差込係止片の背後の撓み空間に、接続ブロックに接続された電線が入るのを防止することができる。また、差込係止片は係止枠の中にガイドされつつ挿入される。
【００１８】
また、請求項３記載の発明は、請求項１又は２記載の電気接続箱において、前記リブの先端側には、前記接続ブロックの挿入方向に漸次傾斜するテーパ面が形成されていることを特徴とする。
【００１９】
上記構成によれば、接続ブロックを箱本体に挿入した際に、接続ブロックの外側にはみ出した電線が、テーパ面にガイドされながらリブに乗り上げ、スムーズに下方に誘導される。
【００２０】
また、請求項４記載の発明は、請求項１〜３の何れか１項に記載の電気接続箱において、前記リブが、前記係止部より前記箱本体の内側に突出していることを特徴とする。
【００２１】
上記構成によれば、接続ブロックを箱本体に挿入した際に、リブに乗り上げた電線と係止部との間に隙間が形成されて、電線が係止部に擦れたり、引っかかったりすることが確実に防止される。
【００２２】
また、請求項５記載の発明は、請求項１〜４の何れか１項に記載の電気接続箱において、前記リブの先端側が、前記係止部の先端側より前記箱本体の開口側に突出していることを特徴とする。
【００２３】
上記構成によれば、接続ブロックを箱本体に挿入した際に、先ず、電線がリブの先端側に乗り上げ、続いてリブ上を滑りながら下方に誘導され、箱本体の底壁側に落下する。
【００２４】
【発明の実施の形態】
以下に本発明の実施の形態の具体例を図面を用いて詳細に説明する。
図１〜５は、本発明に係る電気接続箱の一実施形態を示すものである。
【００２５】
この電気接続箱は、ロアカバー（箱本体）１５の側壁１８内面に、一対のリブ２８，２８及び一対のリブ２８，２８の間に位置する可撓性の差込係止片（係止部）３０を設け、リレーブロック（接続ブロック）４５の側面４８に係止枠（係合部）５５を設けたことを第一の特徴としている。
【００２６】
電気接続箱は、従来技術の欄で説明した電気接続箱７０と同様に、上部に開口を有するロアカバー１５と、下部に開口を有する図示しないアッパーカバーと、リレー等が実装されたリレーブロック４５（図６）とから構成されている。
【００２７】
図６に示すリレーブロック４５は、全ての電気部品がリレーから構成されている接続ブロックという意味ではなく、複数のリレーが実装されている接続ブロックという意味である。なお、リレーブロック４５に代えて、ヒューズ回路を構成するヒューズブロックや、分岐回路を構成するジャンクションブロックを適用することもできる。
【００２８】
図１に示すように、ロアカバー１５は、ポリプロピレン等の合成樹脂を構成材料とし、射出成形法により一体成形されたものであり、底壁１６と、底壁１６の周囲に垂直ないし略垂直に交差して連なる側壁１８とからなっている。上壁は、開口形成されていて、リレーブロック４５が挿入されるようになっている。
【００２９】
底壁１６は、水平方向に平行な平坦面１６ａと、平坦面１６ａに対して滑らかに交差する傾斜面１６ｂ（図３）とからなっている。平坦面１６ａには、複数の水抜き孔２４が形成されていて、ロアカバー１５の内面に結露した水滴が、傾斜面１６ｂに沿って流れ落ち、水抜き孔２４から外部へ排水されるようになっている。
【００３０】
側壁１８は、相対向する長辺側の前壁１９及び後壁２０と、相対向する短辺側の左壁２１及び右壁２２とからなっている。本明細書では、前後方向Ｙ及び左右方向Ｘについて、ロアカバー１５の長手方向を左右方向Ｘとし、ロアカバー１５の短手方向を前後方向Ｙと定めることとする。上下方向Ｚは、図１の紙面に対して垂直な方向とする。
【００３１】
前壁１９の左端には、ロアカバー１５を図示しない車両ボディに固定するためのＬ字状又は逆Ｌ字状の取付ブラケット３４が突設されている。取付ブラケット３４の先端側の平坦部には、ボルト挿通孔３４ｂを有する取付部３４ａが設けられている。取付部３４ａは、合成樹脂と金属とがインサート成形や圧入などにて一体的に成形されたものである。このため、取付ブラケットの強度が向上して、ロアカバー１５の取り付けを確実に行うことができる。
【００３２】
ボルト挿通孔３４ｂは、図示しない締付ボルトを通すための孔であり、締付ボルトの雄ねじに螺合する雌ねじではない。従って、取付ブラケット３４の取付部３４ａと車両ボディ側の被取付部（図示せず）との間に位置ずれがある場合であっても、位置ずれが吸収されるようになっている。
【００３３】
車両ボディに電気接続箱を取り付ける際は、車両ボディの被取付部と取付ブラケット３４の取付部３４ａのボルト挿通孔３４ｂとを同軸に合わせて、締付ボルトを締結することで、取り付けが行われるようになっている。
【００３４】
上述した取付ブラケット３４は、後壁２０や右壁２２にも設けられている。後壁２０の取付ブラケット３５は、左端からやや離れた位置に設けられていて、前壁１９の取付ブラケット３４に対して互い違いに相対している。右壁２２の取付ブラケット３６は、右壁２２の中央寄りの位置から斜め上方に向かって突設されている（図２）。
【００３５】
後壁２０及び右壁２２の取付ブラケット３５，３６にも、ボルト挿通孔３５ｂ，３６ｂが形成されている。このように、ロアカバー１５は、バランス良く配置された３カ所の取付ブラケット３４，３５，３６で、車両ボディにがたつきなく固定されるようになっている。
【００３６】
左壁２１の外面と後壁２０の外面とには、図示しないアッパーカバーに対する係止部３８が設けられている。アッパーカバーには、この係止部３８に対応する位置に被係止部が設けられていて、係止部３８が被係止部に係合することにより、ロアカバー１５にアッパーカバーが密閉した状態で固定されるようになっている。
【００３７】
アッパーカバー及びロアカバー１５を設けて、リレーブロック４５を内部に収容することで、リレーブロック４５の上面４７に実装されたリレー等が外部干渉などから保護されるとともに、水滴の浸入が阻止されて、電気的接続の信頼性が維持されるようになっている。
【００３８】
後壁２０と右壁２２とには、それぞれ電線導入口３９と電線導出口４０とがＵ字切欠状に開口形成されている。電線導入口３９からは、図示しないバッテリなどに接続された電線がロアカバー１５内に引き込まれる。電線導出口４０からは、リレーなどに接続された電線がテープや結束バンドなどにより束ねられ、電線束として外側に引き出されるようになっている。
【００３９】
電線導入口３９及び電線導出口４０には、ゴム製の防水グロメット（図示せず）が装着され、防水グロメットの内側を電線が挿通し、ロアカバー１５内に水が浸入しないようになっている。
【００４０】
図３に示すように、左壁２１の内面には、２つの差込係止片３０，３０が互いに並行に上方に向かって突設されている。差込係止片３０と左壁２１との間は、撓み空間３３（図５）となっていて、差込係止片３０が壁に近づく方向に撓むことができるようになっている。
【００４１】
本発明の目的は、差込係止片３０に電線が引っかかったり、撓み空間３３に電線が入り込まないようにすることであり、そのために、各差込係止片３０の両側に、一対のリブ２８，２８を差込係止片３０と平行に突設したものである。差込係止片３０及び一対のリブ２８，２８は、右壁２２内面の中央及び前壁１９内面の右端にも同じように設けられている。
【００４２】
差込係止片３０は、リレーブロック４５をロアカバー１５に固定するためのものであり、リレーブロック４５の係止枠５５とともに係止手段を構成する。差込係止片３０及び係止枠５５の構成については後述することとする。
【００４３】
リブ２８は、リレーブロック４５をロアカバー１５に挿入した際に、差込係止片３０にリレーブロック４５の外側にはみ出した電線が引っかからないようにするために設けられたものである。このため、リブ２８は、差込係止片３０よりロアカバー１５内側に突出するように設けられている。
【００４４】
差込係止片３０及び一対のリブ２８，２８は、側壁１８内面の計４カ所の位置に設けられている（図１）。リレーブロック４５は、二つに分割されているため（図６には一方のみ図示する）、分割された各リレーブロック４５は、略対角方向に配置された２カ所の差込係止片３０，３０で係止されるようになっている。
【００４５】
図２に示すように、差込係止片３０は、ロアカバー１５内側に断面コ字状に張り出す張り出し部２９の段差部２９ａに、上方に向けて突出形成されている。一対のリブ２８，２８は、張り出し部２９の両側の壁を上方に延長したものであり、リブ２８の先端部は開口端部２６に達している。
【００４６】
すなわち、一対のリブ２８，２８は、張り出し部２９と同程度の幅で（図３）、差込係止片３０を囲うように形成されている。なお、一対のリブ２８，２８を張り出し部２９と連続させないように形成してもよく、一対のリブ２８，２８の間隔を張り出し部２９の間隔より幅広に形成してもよい。
【００４７】
張り出し部２９の段差部２９ａは、側壁１８（左壁２２）に対して垂直に形成されていて、段差部２９ａには、リレーブロック４５の係止枠５５の下部開口端部５５ａ（図８）が当接することにより、ロアカバー１５に対するリレーブロック４５の上下方向の位置決めが行われるようになっている。
【００４８】
リレーブロック４５が位置決めされた状態においては、リレーブロック４５の下面とロアカバー１５の底壁１６との間に電線収容空間が形成されるようになっている。この電線収容空間には、リレーブロック４５の下面に配索された電線が収容される。
【００４９】
リブ２８の先端部は、差込係止片３０の先端側より開口端部２６側に突出し、開口端部２６側に向かって漸次傾斜するテーパ面２８ｂに形成されている。このため、リレーブロック４５をロアカバー１５に挿入した際に、リレーブロック４５からはみ出した電線は、テーパ面２８ｂに沿って底壁１６側にスムーズに誘導され、リブ２８に乗り上げて、差込係止片３０に引っかかることなく下方に落ちるようになっている。すなわち、電線は、テーパ面２８ｂにガイドされ、スムーズにリブ２８に乗り上げる。
【００５０】
再び図３に示すように、差込係止片３０は、ロアカバー１５の深さの中程より開口端部２６側に位置しているが、これは、リレーブロック４５をロアカバー１５に固定した際に、リレーブロック４５の下面とロアカバー１５の底壁１６との間に空間を残して、この空間にリレーブロック４５に接続された電線を収容するためである。
【００５１】
図４又は図５に示すように、差込係止片３０は、張り出し部２９の段差部２９ａに根本部３０ａを連成し、根本部３０ａに続く自由端部３０ｂは、壁面に対しては平行に上方に向かって延びている。先端側の両隅は、面取りされていて、リレーブロック４５の係止枠５５に差込係止片３０がスムーズに挿入できるようになっている。
【００５２】
自由端部５６ｂの外面には、凹所３０ｃが形成されていて、係止枠５５の内面に形成された係止片５６の係止突起５６ｃが、この凹所３０ｃの縁部に係合し、リレーブロック４５がロアカバー１５に係止されるようになっている。
【００５３】
次に、図６〜８に基づいて、リレーブロック４５について説明する。
リレーブロック４５は、合成樹脂製のブロック本体４６（図６）と、ブロック本体４６に実装される図示しないリレーその他の電気部品と、アース接続用のバスバーとから成っている。ブロック本体は、、ポリプロピレン等の合成樹脂を構成材料とし、射出成形法により一体成形されたものである。
【００５４】
図６には、２分割された一方のＬ字状のブロック本体４６が示されている。このように、ブロック本体４６を分割して構成することにより、成形性が向上し、ロアカバー１５に対する組み付け性が向上する。なお、分割して構成されたリレーブロックについては、他の出願で詳細に説明するため、本明細書では簡単に説明することとする。
【００５５】
ブロック本体４６は、上面４７と、図示しない下面と、上面４７及び下面の縁部を連ねる側面４８とからなっている。上面４７には、リレーを実装するためのリレー装着部５７と、その他の電気部品を装着するための電気部品装着部５８が多数設けられている。電気部品には、ヒューズ（図示せず）や、大電流用のヒュージブルリンク（図示せず）や、端子（図示せず）などが含まれる。
【００５６】
図示しないリレーは、本体と、４つの端子部とからなっている。本体は、電磁コイルと接点部材とを有している。４つの端子部は、電磁コイルの入・出力端子部と、接点部材の入・出力端子部とからなっている。
【００５７】
電磁コイルの出力端子部は、アース接続用の図示しないバスバーの折曲端子に接続される。接点部材の出力端子部は、ランプ類や各種計器類などに接続された電線に雌端子を介して接続される。電磁コイル及び接点部材の入力端子部は、中継端子に接続され、スイッチ及びヒューズを介してバッテリからの電源電流の供給を受けるようになっている。
【００５８】
図示しないヒューズは、本体と、２つの端子部とからなっていて、各リレーに対して２つずつ設けられている。上述したように、リレーは、電磁コイルの入力側端子部と、接点部材の入力端子部とを備えていて、各入力端子部には、ヒューズを介してバッテリからの規定された電源電流が流れるようになっているからである。ヒュージブルリンクは、ヒューズの上流側に配置され、デッドショートを防止するための大電流用のヒューズである。
【００５９】
ブロック本体４６の下面（図示せず）には、複数のコネクタ装着部が形成されている。コネクタ装着部に装着されるコネクタは、複数の雌型端子をコネクタハウジングに収容している。雌型端子は、リレーの端子部と接続し、リレー回路を形成する。
【００６０】
ブロック本体４６の側面４８は、上面４７及び下面に対して垂直ないし略垂直に形成されている。長辺側の相対向する側面は４８、それぞれ前側面４９及び後側面５０であり、前側面４９はロアカバー１５の前壁１９面に対向し、後側面５０はクランク状を成していて、分割成形された他方のブロック本体のクランク状を成す側面と対向する。
【００６１】
短辺側の相対向する側面４８は、それぞれ左側面５１及び右側面５２であり、左側面５１には後側面５０寄りに係止枠５５が形成され、右側面５２には電線保護部材５４が屈曲形成されている。係止枠５５は、断面コ字状をなし、内側には係止突起５６ｃを有する可撓性の係止片５６が突設されている。
【００６２】
図７又は図８に示すように、係止枠５５は、係止片５６を囲いながら上方に長く延びている。係止枠５５の下部開口端部は５５ａ、ロアカバー１５の張り出し部２９の段差部２９ａに当接する（図２）。係止片５６は、基部５６ａと、基部５６ａ寄りに突起を有する自由端部５６ｂとからなり、自由端部５６ｂは、ブロック本体４６の上面４７側に延びている。ロアカバー１５の側壁１８内面に突設された差込係止片３０は、係止枠５５の下部開口から挿入され、係止突起５６ｃに差込係止片３０の凹所３０ｃが係合するようになっている。
【００６３】
このような、係止枠５５は、差込係止片３０に対応する位置に形成されていて、図６に示すブロック本体４６には、左側面５１の後側面５０寄りの位置と前側面４９の右側面寄りの位置の対角方向の２カ所の位置に設けられている。
【００６４】
以上のように本実施形態によれば、リレーブロック４５の係止枠５５に係合するロアカバー１５の差込係止片３０が、一対のリブ２８の間に位置しているから、差込係止片３０がロアカバー１５の内側に突出せず、リレーブロック４５がロアカバー１５に挿入された際に、リレーブロック４５に接続された電線で外側にはみ出した電線が、リブ２８に乗り上げ、リブ２８上を滑りながら下方に落下し、差込係止片３０の背後に入り込んだりして引っかかることが防止される。
【００６５】
【発明の効果】
以上の如く、請求項１記載の発明によれば、ロアカバーには、一対のリブの間に係止部が設けられているから、接続ブロックをロアカバーに挿入すると、接続ブロックに接続された電線で外側にはみ出した電線が、リブに乗り上げ、リブ上を滑りながら下方に滑り落ちる。従って、電線が係止部に引っかかり、ロアカバーの係止部と接続ブロックの係合部との間に電線が挟まって、電線が損傷したり断線したりすることが防止される。また、ロアカバーと接続ブロックとの組み付け作業性が向上する。
【００６６】
また、請求項２記載の発明によれば、係止部が差込係止片であり、係合部が係止枠であるから、接続ブロックをロアカバーに挿入した際、差込係止片と側壁内面との間に形成された撓み空間に接続ブロックに接続された電線が入るのを防止することができる。従って、請求項１記載の効果と同等の効果を奏し、電線の損傷や断線を防止することができる。
【００６７】
また、請求項３記載の発明によれば、リブの先端側にはテーパ面が形成されているから、接続ブロックを箱本体に挿入した際に、接続ブロックの外側にはみ出した電線が、テーパ面にガイドされながらリブに乗り上げる。従って、電線がリブに引っかかることなく、スムーズに下方に誘導される。
【００６８】
また、請求項４記載の発明によれば、リブが係止部よりロアカバーの内側に突出しているから、接続ブロックをロアカバーに挿入した際に、リブに乗り上げた電線と係止部との間に隙間が形成されて、電線が係止部に擦れたり、引っかかったりすることが防止される。従って、接続ブロックに接続された電線の損傷や断線が確実に防止される。
【００６９】
また、請求項５記載の発明によれば、リブの先端側が、係止部の先端側よりロアカバーの開口側に延びているから、接続ブロックをロアカバーに挿入した際に、先ず、電線がリブの先端側に乗り上げ、続いてリブ上を滑りながら下方に誘導され、ロアカバーの底壁側に落下する。従って、請求項１記載の効果と同等の効果を奏し、電線の損傷や断線を防止することができる。
【図面の簡単な説明】
【図１】本発明に係る電気接続箱の一実施形態を示す平面図である。
【図２】図１に示す電気接続箱のＡ−Ａ線に沿って切断した断面図である。
【図３】同じく電気接続箱のＢ−Ｂ線に沿って切断した断面図である。
【図４】図３のＣ部を拡大した図である。
【図５】図４のＤ−Ｄ線に沿って切断した断面図である。
【図６】図１に示す電気接続箱に挿入されるリレーブロックの平面図である。
【図７】図６に示すリレーブロックの係止部を拡大した平面図である
【図８】図７に示す係止部のＥ−Ｅ線に沿って切断した断面図である。
【図９】従来の電気接続箱の一例を示す斜視図である。
【符号の説明】
１５　　　　ロアカバー（箱本体）
１８　　　　側壁
２８　　　　リブ
２８ｂ　　　テーパ面
３０　　　　差込係止片（係止部）
３３　　　　撓み空間
４５　　　　リレーブロック（接続ブロック）
４８　　　　側面
５５　　　　係止枠（係合部）
【図１】
2004072941.tif 000003
【図２】
2004072941.tif 000004
【図３】
2004072941.tif 000005
【図４】
2004072941.tif 000006
【図５】
2004072941.tif 000007
【図６】
2004072941.tif 000008
【図７】
2004072941.tif 000009
【図８】
2004072941.tif 000010
【図９】
2004072941.tif 000011